(57)【要約】【課題】短く、幅が狭いテープを封緘に用いることで、封緘するために必要なテープの量を減らして省資源化を図ることができる可撓性容器を提供すること。【解決手段】本体１と蓋２とが、それぞれの外周の一辺において連結部３で連結されている可撓性容器であって、本体１の外周かつ、連結部３の反対側の一辺に設けられている本体側フランジ５と、本体側フランジ５の端部近傍に設けられている本体側係着部４と、蓋２と本体１とを重ねたときに、本体側係着部４と対応する位置に設けられている蓋側係着部４と、蓋２の外周かつ、連結部３の反対側の一辺に設けられている蓋側フランジ５とを備え、蓋側フランジ５には切欠部７が設けられており、切欠部７は、蓋側係着部４よりも蓋側フランジ５の存在方向Ｘの内側に存在する、可撓性容器を提供する。【選択図】図２
2016055899.tif 000002
【特許請求の範囲】
【請求項１】
本体と蓋とが、それぞれの外周の一辺において連結部で連結されている可撓性容器であって、
前記本体の外周かつ、前記連結部の反対側の一辺に設けられている本体側フランジと、
前記本体側フランジの端部近傍に設けられている本体側係着部と、
前記蓋と前記本体とを重ねたときに、前記本体側係着部と対応する位置に設けられている蓋側係着部と、
前記蓋の外周かつ、前記連結部の反対側の一辺に設けられている蓋側フランジとを備え、
前記蓋側フランジには切欠部が設けられており、
前記切欠部は、前記蓋側係着部よりも前記蓋側フランジの存在方向の内側に存在する、可撓性容器。
【請求項２】
前記蓋側フランジに貼り付けて封緘する粘着テープと、
前記粘着テープに設けられている摘み部とをさらに備え、
前記粘着テープは、前記切欠部を介して前記本体側フランジに貼り付けられ、
前記摘み部を含む前記粘着テープの長さは、前記蓋側フランジが設けられている前記蓋の外周の一辺の長さよりも短い、請求項１に記載の可撓性容器。
【発明の詳細な説明】
【技術分野】
【０００１】
本発明は可撓性容器に関し、特に、本体と蓋とが、それぞれの外周の一辺において連結されている可撓性容器に関するものである。
【背景技術】
【０００２】
従来の可撓性容器として、たとえば、特許文献１の卵容器が提案されている。図５および図６は、特許文献１に記載された卵容器である従来の可撓性容器の構成を示す図である。図５に示すように、従来の可撓性容器は、身部分１０１と、蓋部分１０２と、これら二つの部分を連結する屈曲自在な連結部分１０３とからなり、合成樹脂シートを真空成型またはブロー成型して一体に成型したものであり、身部分１０１および蓋部分１０２の外周かつ、連結部分１０３の反対側の一辺には、周縁部１０５が設けられている。
【０００３】
図５に示すように、従来の可撓性容器を封緘するには、身部分１０１に形成されている凹部に卵Ｅを入れたのち、連結部分１０３を軸として蓋部分１０２を回動させ、図６に示すように、身部分１０１の上に蓋部分１０２が折り重なった状態にする。そして、重なり合った周縁部１０５に粘着性テープ１０６を二つ折りに貼り付けて封緘する。このとき、粘着性テープ１０６の端部１６１を周縁部１０５より突出するように貼り付ける。
【０００４】
このようにして封緘された従来の可撓性容器を開封して卵Ｅを取り出す場合には、周縁部１０５から粘着性テープ１０６の端部１６１がはみ出しているので、このはみ出した端部１６１を摘んで引っ張ることにより、粘着性テープ１０６を剥離して開封することができる。
【先行技術文献】
【特許文献】
【０００５】
【特許文献１】特開平１０−３１６１８８号公報
【発明の概要】
【発明が解決しようとする課題】
【０００６】
特許文献１に記載されている卵容器のような従来の可撓性容器では、重なり合った身部分１０１と蓋部分１０２の周縁部１０５に粘着性テープ１０６を二つ折りに貼り付けて封緘するため、ある程度幅が広い粘着性テープ１０６を用いなければならない。また、開封するときに粘着性テープ１０６を剥離し易くするために、粘着性テープ１０６の端部１６１を周縁部１０５より突出するように貼り付けなければならないという課題があった。
【０００７】
封緘に使用するテープが短く、幅が狭いほど封緘するために必要なテープの量は少なくて済み、封緘に使用するテープが長く、幅が広いほど封緘するために必要なテープの量が増える。そのため、特に、毎日大量に封緘される卵用の可撓性容器に長く、幅が広いテープが使用されると、膨大な量のテープが消費されてしまう。
【０００８】
本発明は、上記課題を解決するもので、その目的は、短く、幅が狭いテープを封緘に用いることで、封緘するために必要なテープの量を減らして省資源化を図ることができる可撓性容器を提供することである。
【課題を解決するための手段】
【０００９】
上述の課題を解決するために、本体と蓋とが、それぞれの外周の一辺において連結部で連結されている可撓性容器であって、本体の外周かつ、連結部の反対側の一辺に設けられている本体側フランジと、本体側フランジの端部近傍に設けられている本体側係着部と、蓋と本体とを重ねたときに、本体側係着部と対応する位置に設けられている蓋側係着部と、蓋の外周かつ、連結部の反対側の一辺に設けられている蓋側フランジとを備え、蓋側フランジには切欠部が設けられており、切欠部は、蓋側係着部よりも蓋側フランジの存在方向の内側に存在する、可撓性容器を提供する。
【発明の効果】
【００１０】
本発明に係る可撓性容器であれば、従来の可撓性容器に比べて、短く、幅が狭いテープを封緘に用いることができるので、封緘するために必要なテープの量を減らして省資源化を図ることができる。
【図面の簡単な説明】
【００１１】
【図１】本発明の実施の形態に係る可撓性容器の構成を示す斜視図である。
【図２】本発明の実施の形態に係る可撓性容器の構成を示す平面図である。
【図３】本発明の実施の形態に係る可撓性容器が封緘された状態を示す斜視図である。
【図４】本発明の実施の形態に係る可撓性容器が封緘された状態を示す平面図である。
【図５】従来の可撓性容器の構成を示す斜視図である。
【図６】従来の可撓性容器が封緘された状態を示す平面図である。
【発明を実施するための形態】
【００１２】
第１の発明は、本体と蓋とが、それぞれの外周の一辺において連結部で連結されている可撓性容器であって、本体の外周かつ、連結部の反対側の一辺に設けられている本体側フランジと、本体側フランジの端部近傍に設けられている本体側係着部と、蓋と本体とを重ねたときに、本体側係着部と対応する位置に設けられている蓋側係着部と、蓋の外周かつ、連結部の反対側の一辺に設けられている蓋側フランジとを備え、蓋側フランジには切欠部が設けられており、切欠部は、蓋側係着部よりも蓋側フランジの存在方向の内側に存在する、可撓性容器である。
【００１３】
「存在方向」とは、連続的または一体的に一定の方向に沿って存在する物体の先端と後端を結ぶ仮想直線の前後方向を指す。
【００１４】
「端部近傍」とは、端部を中心とした一定範囲内を指し、端部の周りだけでなく、端部そのものも含む。
【００１５】
「係着」とは、蓋の少なくとも一部が本体に対して直接的、または間接的に接触することにより関係させ、蓋と本体との相対的な位置関係が一定に保たれている状態を意味する。したがって、蓋側係着部と本体側係着部とを係着させると、蓋と本体とが閉じられた状態となる。
【００１６】
第１の発明によれば、従来の可撓性容器に比べて、短く、幅が狭いテープを用いて封緘できるので、封緘するために必要なテープの量を減らして省資源化を図ることができる。
【００１７】
第２の発明は、特に第１の発明において、蓋側フランジに貼り付けて封緘する粘着テープと、粘着テープに設けられている摘み部とをさらに備え、粘着テープは、切欠部を介して本体側フランジに貼り付けられ、摘み部を含む粘着テープの長さは、蓋側フランジが設けられている蓋の外周の一辺の長さよりも短い、可撓性容器である。
【００１８】
第２の発明によれば、従来よりも長さが短い粘着テープを用いて封緘するので、封緘するために必要なテープの量を減らして省資源化を図ることができる。
【００１９】
（実施の形態）
以下、本発明の実施の形態に係る可撓性容器として、合成樹脂シートを真空成型またはブロー成型等によって一体に成型した卵用の可撓性容器について説明する。本実施の形態にかかる可撓性容器は、図１から図４に示すように、封緘される前は、本体１と、蓋２と、連結部３と、本体１および蓋２に設けられている係着部４と、フランジ５とを備え、封緘された後は、さらに粘着テープ６を備えている。
【００２０】
図１は、封緘される前の可撓性容器の斜視図であり、図２は、封緘される前の可撓性容器の平面図である。また、図３は、封緘された後の可撓性容器の斜視図であり、図４は、封緘された後の可撓性容器の平面図である。
【００２１】
はじめに、本体１について説明する。本体１は、外周が略四角形に形成されており、卵Ｅを収容するための卵収容座が設けられた可撓性容器の本体部分である。卵収容座は卵Ｅの形状に沿った構造をしており、本体１には、卵収容座が１０箇所設けられている。卵Ｅは長軸を鉛直にした状態で、本体１に設けられた卵収容座に収容される。図１および図２は、本体１に設けられている１０箇所の卵収容座に１０個の卵Ｅが収容されている状態の可撓性容器を示している。
【００２２】
次に、蓋２について説明する。蓋２は、本体１と同様に外周が略四角形に形成されており、図３に示すように、本体１の外周部分と蓋２の外周部分とが重ねられることで可撓性容器が閉じられる、可撓性容器の蓋部分である。本実施の形態にかかる蓋２は、上面にラベルを貼り付けるための平坦な面が形成されている、いわゆる「フラットパック」と呼ばれる可撓性容器である。なお、蓋２は上面にラベルを貼り付けるための平坦な面が形成されているものに限られず、本体１に設けられている卵収容座のような卵Ｅの形状に沿った構造が形成されていてもよい。そのような形状の蓋を備える卵用の可撓性容器は「角付きパック」と呼ばれている。
【００２３】
次に、連結部３について説明する。連結部３は、本体１と蓋２のそれぞれの外周の一辺において、本体１と蓋２とを連結している。連結部３は、蓋２が連結部３を軸として回動するような屈曲性を備えた蝶番構造に形成されている。また、本実施の形態では、合成樹脂シートを真空成型またはブロー成型等によって、本体１と蓋２と連結部３を一体に成型しているが、たとえば、別々に成型された本体１と蓋２とが、それぞれの外周の一辺において、ヒートシーラーなどによって熱融着された部分を連結部としてもよいし、連結部３が、ミシン目によって切り離し可能な構造であってもよい。さらに、本体１と蓋２とを連結する粘着テープや両面テープ等であってもよい。
【００２４】
次に、フランジ５について説明する。図１および図２に示すように、本実施の形態では、蓋２の外周かつ、連結部３の反対側の一辺に設けられている蓋側フランジ５と、本体１の外周かつ、連結部３の反対側の一辺に設けられている本体側フランジ５が存在する。
【００２５】
本体側フランジ５は、本体１の外周の一辺に沿ってまっすぐに延びる帯状に形成されており、蓋側フランジ５は、蓋２の外周の一辺に沿って形成されている。本実施形態では、図１および図２に示すように、蓋側フランジ５の両端部を結ぶ仮想直線の前後方向を蓋側フランジ５の存在方向Ｘとしている。
【００２６】
蓋側フランジ５および本体側フランジ５は、図３に示すように、蓋２と本体１とを重ねたときに、蓋側フランジ５の両端部と本体側フランジ５の両端部とが重なるように形成されている。
【００２７】
蓋側フランジ５には、切欠部７が設けられている。本実施の形態では、蓋側フランジ５に切欠部７が４箇所設けられているが、これに限られず、３箇所以下や、５箇所以上に設けられていてもよい。また、切欠部７のそれぞれの大きさや形状も図１および図２に示すものに限られない。
【００２８】
切欠部７の形状は、円形や半円形、楕円形、三角形などでもよいし、卵収容座に収容される卵Ｅを模した卵形でもよい。また、本実施の形態では、切欠部７は可撓性容器の中心を基準にして左右対称に蓋側フランジ５上に設けられている。このようにすることで、後述する粘着テープ６が本体側フランジ５と接着する位置が左右対称になるため、可撓性容器に対して、粘着テープ６の封緘する力を均等に加えることができる。
【００２９】
また、図２に示すように、蓋側フランジ５の存在方向Ｘに設けられている切欠部７の両端部間の距離Ａと、本体１に複数設けられている卵収容座のうち、本体１の両端に設けられている２つの卵収容座の中心間の距離Ｄとが同じになるように切欠部７が蓋側フランジ５上に設けられている。
【００３０】
このようにすることで、蓋側フランジ５と本体側フランジ５とが重なった部分を粘着テープ６で封緘したときに、粘着テープ６と本体側フランジ５との接着面と、連結部３とが協働して可撓性容器の端の部分の変形を押さえるように作用する。そうすると、可撓性容器の端が大きく開くことがなくなり、たとえば、消費者が小売店のラックから可撓性容器を取り出すときに振ってしまうような、可撓性容器からこぼれ落ちる方向への加速度が卵Ｅに加わる状況であっても、卵Ｅが卵収容座からこぼれ落ちることがなくなる。
【００３１】
なお、「切欠部７の両端部間の距離Ａと、本体１に複数設けられている卵収容座のうち、本体１の両端に設けられている２つの卵収容座の中心間の距離Ｄとが同じ」とは、上記の作用効果が生じる程度に、それぞれの距離が同じであることを意味し、それぞれの距離が完全に一致しなくてもよい。
【００３２】
本実施の形態では、本体側フランジ５は、本体１の外周の一辺に沿ってまっすぐに延びる帯状に形成されているが、これに限られず、蓋２と本体１とを重ねたときに、蓋側フランジ５に設けられた切欠部７と、本体側フランジ５とが重なり、粘着テープ６を蓋側フランジ５に貼り付けたときに、切欠部７を介して粘着テープ６の粘着面が本体側フランジ５と接着できる形状であればよいので、たとえば、波形に形状が変化していてもよい。
【００３３】
次に、係着部４について説明する。本実施の形態では、本体１に設けられている本体側係着部４と、蓋２と本体１とを重ねたときに、本体側係着部４と係着する位置に設けられている蓋側係着部４が存在する。
【００３４】
本体側係着部４は、図１に示すように、本体側フランジ５の両端部の近傍に設けられており、可撓性容器が開いている状態のときに凹構造となるように本体１に形成されている。また、蓋側係着部４は、本体側係着部４に対応する位置で、本体側係着部４と係着することができる凸構造となるように蓋２に形成されている。
【００３５】
係着部４は、本体１と蓋２とを封緘する力を補うためのものであり、本実施の形態では、蓋側に２箇所、本体側に２箇所設けられている。このようにフランジ５の端部近傍に係着部４を設けることで、フランジ５に貼り付けられる粘着テープ６が可撓性容器を封緘する力を補うことができる。
【００３６】
本体側係着部４が設けられる位置は、図１および図２に示す位置に限られず、本体側フランジ５の端部近傍であればよい。たとえば、本体１の外周において、連結部３および本体側フランジ５が設けられていない側に本体側係着部４を設けてもよいし、外周の内側である卵収容座の縁部分等に設けてもよい。
【００３７】
また、それぞれの係着部４は、２箇所より多く設けてもよく、数を増やすことで、粘着テープ６が封緘する力をより補うことができる。さらに、蓋側係着部４と本体側係着部４とを単なる凹凸構造でなく、たとえば、くさび型の凹凸が噛み合う構造にすれば、さらに封緘する力を強く補うことができる。
【００３８】
なお、係着部４は粘着テープ６が可撓性容器を封緘する力を補うことができればよいので、両面テープなどで封緘する力を補うようにしても良い。この場合は、蓋２および本体１に凹凸構造などを設ける必要がなく、蓋２および本体１のそれぞれに対して両面テープなどの封緘する力を補う部材が張り付く部分が、蓋側係着部４および本体側係着部４となる。
【００３９】
次に、粘着テープ６について説明する。粘着テープ６は、図３および図４に示すように、重なり合った蓋側フランジ５と本体側フランジ５に対して、蓋側フランジ５側から二つ折りにされずに貼り付けられることで可撓性容器を封緘する、封緘用テープである。本体側フランジ５に対しては、粘着テープ６は切欠部７を介して貼り付けられる。
【００４０】
本実施の形態において、粘着テープ６で可撓性容器を封緘する場合は、本体１に形成されている卵収容座に卵Ｅを入れたのち、連結部３を軸として蓋２を回動させ、図３および図４に示すように、本体１の上に蓋２が折り重なった状態にする。そして、粘着テープ６は、蓋側フランジ５に設けられた切欠部７を覆うように貼り付けられ、本体側フランジ５には、切欠部７を介して貼り付けられる。図４に示すように、貼り付けられた粘着テープ６の長さＢは、フランジ５が設けられている本体１および蓋２の外周の一辺の長さＣよりも短くなる。
【００４１】
封緘装置を利用して自動で粘着テープ６の貼り付けを行う場合は、たとえば、一対の押圧ローラーで粘着テープ６が貼り付けられたフランジ５を挟み込んで押圧することで、粘着テープ６を切欠部７を介して確実に本体側フランジ５に貼り付けることができる。
【００４２】
このようにして封緘された可撓性容器を開封して卵Ｅを取り出す場合には、粘着テープ６の端部に摘み部６１が設けられているので、この摘み部６１を摘んで引っ張ることにより、粘着テープ６を剥離して開封することができる。
【００４３】
摘み部６１は、粘着テープ６の両端に設けられていてもよく、また、あらかじめ粘着テープ６の端部に形成されているものに限られず、粘着テープ６をフランジ５に貼り付けるときに、粘着テープ６の端部の粘着面を谷折りにして粘着面同士を接着することで形成されるようにしてもよい。なお、図３および図４に示すように、摘み部６１の長さを含めた粘着テープ６の長さは、蓋側フランジ５が設けられている蓋２の外周の一辺の長さよりも短くなっている。さらに、摘み部６１が可撓性容器の端からはみ出さない長さにすることで、摘み部６１が他の可撓性容器等に接触して剥離されるという危険性を低くすることもできる。
【００４４】
また、本実施の形態では、本体１に１０箇所の卵収容座が形成されている１０個詰めの卵用の略四角形の可撓性容器について説明を行ったが、これに限られず、たとえば卵用の可撓性容器であれば、４個詰めや６個詰め、８個詰めなどにも適用することができるし、卵以外の食品や、食品以外のものを収容する可撓性容器にも適用することができる。
【００４５】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００４６】
本発明は、可撓性容器を封緘するために必要なテープの量を減らせるため、特に大量の可撓性容器を封緘する場合の省資源化およびコストダウンに有効に利用される。
【符号の説明】
【００４７】
１  本体
２  蓋
３  連結部
４  係着部
５  フランジ
６  粘着テープ
７  切欠部
６１  摘み部
１０１  身部分
１０２  蓋部分
１０３  連結部分
１０５  周縁部
１０６  粘着性テープ
１６１  端部
Ｅ  卵
【図１】
2016055899.tif 000003
【図２】
2016055899.tif 000004
【図３】
2016055899.tif 000005
【図４】
2016055899.tif 000006
【図５】
2016055899.tif 000007
【図６】
2016055899.tif 000008